(57)【要約】【課題】  密閉型の筐体を備え、その筐体の内部に温度センサが設けられる浴室内設置装置において、その温度センサのセンサ読み値に基づいて浴室内の雰囲気温度を簡易にかつ正確に検出し得る浴室内設置装置を提供する。【解決手段】  密閉型の筐体内に設けられた温度センサから出力されるセンサ読み値Ｙｒに対し、所定の付加値Ｙｄを加算することで、浴室内の雰囲気温度Ｙを検出する（Ｓ１）。検出した雰囲気温度Ｙが閾値Ｙｗ以下の低温であれば（Ｓ２でＹＥＳ）、ユーザーに対し注意喚起したり、浴室内を加温させたりするための対応制御を実行する（Ｓ３）。付加値Ｙｄとして、予め試験等により定めた固定値を設定し、浴室内設置装置としての浴室リモコンの動作状況や、外気温又は季節の如何等に応じて増減する。【選択図】  図４
2018119773.tif 000002
【特許請求の範囲】
【請求項１】
密閉型に構成された筐体と、この筐体の内部に設けられた温度センサと、動作制御を行うためのマイクロコンピュータとを備え、前記浴室内の空間に臨んで設置される浴室内設置装置であって、
前記マイクロコンピュータは、前記温度センサから出力される温度に係るセンサ読み値に対し、所定の付加値を付加することにより、前記浴室内の雰囲気温度を取得するように構成されている、
ことを特徴とする浴室内設置装置。
【請求項２】
請求項１に記載の浴室内設置装置であって、
前記マイクロコンピュータは、前記浴室内設置装置の動作状況を判別し、判別された動作状況に応じて前記付加値を変更するように構成されている、浴室内設置装置。
【請求項３】
請求項１又は請求項２に記載の浴室内設置装置であって、
前記マイクロコンピュータは、外気温を検出するための外気温温度センサからの温度情報に基づいて、前記付加値を変更するように構成されている、浴室内設置装置。
【請求項４】
請求項１又は請求項２に記載の浴室内設置装置であって、
前記マイクロコンピュータは、カレンダ機能を備え、このカレンダ機能により得られる現時点に係る情報に基づいて、前記付加値を変更するように構成されている、浴室内設置装置。
【発明の詳細な説明】
【技術分野】
【０００１】
本発明は、浴室内に設置されるリモコン又は浴室テレビ等の浴室内設置装置に関し、特に、筐体が密閉型に構成され、内部に温度センサが設けられたものに係る。
【背景技術】
【０００２】
従来、浴室内の空間に臨んで設置される浴室内設置装置は、装置内部に設けられる電子機器等への悪影響を避けるために密閉型の筐体が採用され、水や湿気の侵入を防止するように構成されている。そして、浴室内の雰囲気温度を把握するために、その密閉型の筐体の内部に温度センサが設けられることがある。ところが、温度センサが密閉型の筐体内に設けられていることに起因して、密閉空間内における温度変動等の影響を受けるおそれがある。
【０００３】
特許文献１には、密閉されたケース内に設けられた温度センサによりケース外の被加熱体の表面温度を検出する手法として、非接触型のサーモパイル式温度センサと、この温度センサによる温度情報を補正するために温度変化に伴って電気抵抗値が変化するタイプの温度センサとを当該ケース内に設けることが開示されている。
【先行技術文献】
【特許文献】
【０００４】
【特許文献１】特開２００３−２８７２１号公報
【発明の概要】
【発明が解決しようとする課題】
【０００５】
しかしながら、特許文献１に開示された手法を用いると、構成の複雑化やコストの増大化を招くことが考えられ、温度検出に基づき実行する制御の実用価値等とのバランス上、より簡易であって、しかも、ある程度の正確性を担保し得る手法が求められる。
【０００６】
本発明は、このような事情に鑑みてなされたものであり、その目的とするところは、密閉型の筐体を備え、その筐体の内部に温度センサが設けられる浴室内設置装置において、その温度センサのセンサ読み値に基づいて浴室内の雰囲気温度を簡易にかつ正確に検出し得る浴室内設置装置を提供することにある。
【課題を解決するための手段】
【０００７】
本発明では、密閉型に構成された筐体と、この筐体の内部に設けられた温度センサと、動作制御を行うためのマイクロコンピュータとを備え、前記浴室内の空間に臨んで設置される浴室内設置装置を対象にして、次の技術的手段を講じることとした。すなわち、前記マイクロコンピュータとして、前記温度センサから出力される温度に係るセンサ読み値に対し、所定の付加値を付加することにより、前記浴室内の雰囲気温度を取得する構成とした（請求項１）。
【０００８】
この発明の場合、密閉型の筐体内に設けられた温度センサを用いたとしても、その筐体の内部温度の温度上昇による影響が加味されたセンサ読み値に対し、その温度上昇による影響分を控除するための付加値を付加する演算を行っているため、浴室内の雰囲気温度（浴室温度）を簡易かつより正確に取得することが可能となる。これにより、浴室温度が過度に低温であり、入浴のために浴室内に入室するには寒過ぎる場合に、所定の対応制御をより的確に行うことが可能となる。ここで、筐体が密閉型とは、内圧変動を吸収するための手段が必要となる完全密閉構造のみならず、内圧変動を吸収するための微小な空気孔（呼吸孔）を備えた密閉型を含む趣旨である。又、温度センサは、筐体内に備えられた回路基板に設けることができる。
【０００９】
又、本発明の浴室内設置装置において、マイクロコンピュータとして、浴室内設置装置の動作状況を判別し、判別された動作状況に応じて付加値を変更する構成とすることができる（請求項２）。このようにすることにより、筐体内に設けられた回路基板が動作を開始することによる発熱によって筐体の内部温度が上昇してしまい、この結果、温度センサのセンサ読み値にも影響するという場合でも、浴室内の雰囲気温度について正確に取得することが可能となる。
【００１０】
本発明の浴室内設置装置において、マイクロコンピュータとして、外気温を検出するための外気温温度センサからの温度情報に基づいて付加値を変更する構成とすることができる（請求項３）。このようにすることにより、浴室を構成する壁面に浴室内設置装置が設置され、その壁面からの放射熱の影響を受けて筐体内の温度上昇の度合が変化したとしても、その変動分を加味して付加値が変更されるため、浴室内の雰囲気温度について正確に取得することが可能となる。
【００１１】
あるいは、本発明の浴室内設置装置において、マイクロコンピュータとして、カレンダ機能を備え、このカレンダ機能により得られる現時点に係る情報に基づいて、付加値を変更する構成とすることができる（請求項４）。このようにすることにより、外気温を検出することなく、現時点に係る情報から現在の季節等を割り出すことで、季節変動等に基づく平均的な外気温変動が推測可能となり、これに基づき、外気温変動分を加味することが可能となる。この結果、浴室内の雰囲気温度について正確に取得することが可能となる。
【発明の効果】
【００１２】
以上、説明したように、本発明の浴室内設置装置によれば、密閉型の筐体内に設けられた温度センサを用いたとしても、その筐体の内部温度の温度上昇による影響が加味されたセンサ読み値に対し、その温度上昇による影響分を控除するための付加値を付加する演算を行っているため、浴室内の雰囲気温度（浴室温度）を簡易かつより正確に取得することができる。これにより、浴室温度が過度に低温であり、入浴のために浴室内に入室するには寒過ぎる場合に、所定の対応制御をより的確に行うことができるようになる。
【図面の簡単な説明】
【００１３】
【図１】本発明の実施形態に係る浴室内設置装置の例を示す説明図である。
【図２】図３のＡ−Ａ線における浴室内設置装置としてのリモコンの拡大断面説明図である。
【図３】リモコンの裏面図である。
【図４】浴室内の雰囲気温度検出に基づく対応制御の例を示すフローチャートである。
【図５】付加値の設定例を示すフローチャートである。
【図６】リモコンの動作状況の如何に基づく付加値の補正例を示すフローチャートである。
【図７】外気温に係る温度情報に基づく付加値の補正例を示すフローチャートである。
【図８】季節の如何に基づく付加値の補正例を示すフローチャートである。
【発明を実施するための形態】
【００１４】
以下、本発明の実施形態を図面に基づいて説明する。
【００１５】
図１は、本発明に係る浴室内設置装置として浴室リモコン３を例にした説明図である。
【００１６】
浴室１には浴槽２が設置され、その浴室１を構成する壁面１１の適所には浴室リモコン３が設置されている。浴室１外には給湯器４が設置され、この給湯器４から浴槽２での入浴等に用いられる湯や、図外の台所の給湯栓で用いられる湯が注湯又は給湯されるように構成されている。この給湯器４の作動制御を行うコントローラ４１には浴室リモコン３や台所リモコン４２等が通信可能に接続され、各リモコン３，４２からの操作信号等や、逆にコントローラ４１からの表示信号又は動作信号等が送出可能となっている。
【００１７】
給湯器４は、例えば、給水された水を熱交換器に通し、通過する際に燃焼バーナの燃焼熱により熱交換加熱し、所定温度まで昇温された湯を浴槽２に注湯したり、給湯栓（図示省略）に給湯したりするように構成されたものである。
【００１８】
図２は、浴室リモコン３の拡大断面説明図である。この浴室リモコン３は、密閉型に構成された筐体３１の内部に、回路基板３２や、液晶表示部３３等が収容されて構成されている。回路基板３２には、制御用の各種電子部品等が実装されている。加えて、回路基板３２には、サーミスタにより構成された温度センサ５が配設されている。
【００１９】
筐体３１は、一例を示すと、前面ケース３１１と、後面ケース３１２との両者の接合面同士を熱溶着することで、内部を密閉状態に維持し得るように組み付けられている。その熱溶着部３１３は、壁面１１への取付ネジ孔３１４，３１４（図３参照）を迂回しつつ、筐体３１の周縁位置に沿って無端状に延びるように配置されている。
【００２０】
なお、熱溶着の手法としては、接合面間に溶着用の金属線を配置し、通電することにより発熱させて接合面同士を熱溶着させることができる。その他、例えば一方を他方よりも高いレーザー光の透過性を有する合成樹脂とし、他方をレーザー光の吸収性を有する合成樹脂として、互いの接合面間をレーザー溶着することができる。もちろん、溶着手法以外に、接着等の手法を用いて密閉型に構成することができる。
【００２１】
前面ケース３１１の前面、並びに、筐体３１の上下面及び左右側面には、これらを覆うように絶縁カバープレート３１５が筐体３１に対し接着又は熱溶着等の手段により組み付けられている。又、絶縁カバープレート３１５の表示面位置に液晶表示部３３が臨むように配設され、その液晶表示部３３の前面には、表示窓を備えた透明の表示部カバープレート３１６が絶縁カバープレート３１５の表示面位置に接着又は溶着等の手段により組み付けられている。又、液晶表示部３３の下側位置には、例えば押圧式の複数の操作スイッチ３４が設けられている。
【００２２】
後面ケース３１２の四隅には、裏面から後方に突出するＬ字状の凸部３１７，３１７，…が形成され、これら凸部３１７，３１７，…が筐体３１を壁面１１に設置する際に壁面１１に当接するようにされている。又、後面ケース３１２の中央位置には回路基板３２からの電気配線３２１を筐体３１外に導くための貫通孔が形成され、この貫通孔には電気配線３２１を通したたグロメット３１８が嵌め込まれている。そして、このグロメット３１８を取り囲むように取付筒部３１９が後方に突出して形成され、この取付筒部３１９を壁面１１に形成した貫通孔１１１に内嵌させた状態で筐体３１は固定されるようになっている。
【００２３】
又、後面ケース３１２には、例えばグロメット３１８の外周側位置であって、取付筒部３１９の内周側位置に、微小径の空気孔３２０が後面ケース３１２を貫通して形成されている。この空気孔３２０は、密閉された筐体３１内の内圧上昇を外部に逃がして内外圧を均衡化させるために形成されるものである。
【００２４】
さらに、後面ケース３１２には、取付筒部３１９を囲むよう所定厚を有するシール用のパッキン３５が予め貼着されている。このパッキン３５は、例えば合成ゴムや発泡樹脂等の弾性素材により形成され、前記凸部３１７の突出寸法よりも所定量だけぶ厚く形成されている。すなわち、後面ケース３１２と壁面１１との間に挟み込まれた状態で、筐体３１が図外の取付ネジにより壁面１１に締め付けられて、各凸部３１７が壁面１１に当接された状態に設置された状態では、各凸部３１７の突出寸法よりもぶ厚く形成された分だけパッキン３５が圧縮変形し、より高いシール性を発揮することになる。
【００２５】
なお、図２又は図３中の符号３６は逃がし溝である。この逃がし溝３６は、後面ケース３１２と壁面１１との間に発生する結露水を集めて下側中央位置３６１まで導いて落下させるようになっている。
【００２６】
以上の浴室リモコン３は、電気配線３２１によりコントローラ４１と通信可能に接続されている。そして、コントローラ４１は、各種検出信号や操作信号等に基づいて、給湯器４の作動制御、各リモコン３，４２の表示・報知等の作動制御、あるいは、その他の機器（例えば浴室乾燥機１２又は蓋開閉装置１３等）の作動制御等を実行するようになっている。このコントローラ４１が「マイクロコンピュータ」を構成するものであり、ＭＰＵや書き換え可能メモリを備え、メモリに記憶されたプログラム及び各種データに基づいて前記の各種作動制御を実行するようになっている。
【００２７】
以下、浴室リモコン３の内部に設けられた温度センサ５からのセンサ読み値に基づいて浴室１内の雰囲気温度（以下、単に「浴室温度」という）を取得（検出）し、検出した雰囲気温度に基づいて対応する動作制御を実行するという浴室温度対応制御について、図４を参照しつつ説明する。かかる浴室温度対応制御は、コントローラ４１の浴室温度対応制御部により実行される。コントローラ４１は、まず、温度センサ５から出力される温度に係るセンサ読み値Ｙｒに、式（１）の如く付加値Ｙｄを付加することで、浴室温度Ｙを検出する（ステップＳ１）。
Ｙ＝Ｙｒ＋Ｙｄ            …式（１）
そして、この浴室温度Ｙが所定の閾値Ｙｗ以下の低温であれば（ステップＳ２でＹＥＳ）、対応制御を実行する（ステップＳ３）。閾値Ｙｗとしては、入浴者が裸で浴室１に入室するには寒過ぎると考えられる温度値を設定することができる。
【００２８】
対応制御としては、浴室リモコン３及び／又は台所リモコン４２に対し表示処理指令を発し、例えば「浴室内が寒い状況にありますので、入浴に際しご注意下さい。」というテキスト文字による案内表示を、ユーザーに対し注意喚起のために液晶表示部３３に表示させる。あるいは、「入浴前に、浴槽の蓋を予め開けておいて浴室内を暖めて下さい。」と対策に係る案内を追加表示することができる。もちろん、これらのテキスト文字による案内表示に加えて、又は、代えて、音声による案内を行うことができる。
【００２９】
又、浴室乾燥機１２（図１参照）が浴室１に設置されている場合には、対応制御として、浴室温度Ｙが少なくとも閾値Ｙｗを超える温度まで上昇するように浴室乾燥機１２を作動させることができる。このような浴室乾燥機１２の作動制御を行う場合には、前記の注意喚起のための案内表示に加え、例えば「浴室内を浴室乾燥機を作動させて加温させます。」というように、作動状況についての案内表示を追加することができる。
【００３０】
さらに、蓋開閉装置１３が浴槽２に設けられている場合には、対応制御として、閉状態の蓋を強制的に開状態に駆動させることができる。このような蓋開閉装置１３の作動制御を行う場合には、前記の注意喚起のための案内表示に加え、例えば「浴室内を加温させるために、浴槽の蓋を開作動させます。」というように、作動状況についての案内表示を追加することができる。
【００３１】
前記の付加値Ｙｄとは、温度センサ５のセンサ読み値を、本来の浴室温度に近くなるように補正するための値であり、通常は負の値（例えば−２℃）が固定値として設定される。すなわち、温度センサ５のセンサ読み値は、密閉型の筐体３１内に設けられていることに起因して、本来の浴室温度よりも高めの値を示す傾向にある。つまり、筐体３１の内部温度が密閉型であるために上昇傾向となり、この温度上昇の影響を受けて温度センサ５のセンサ読み値も、本来の浴室温度よりも高めの値を示すことになる。このため、本来の浴室温度の検出値を得るために、温度センサ５のセンサ読み値から温度上昇分を控除（つまり負の値の付加値を付加）する必要がある。付加値Ｙｄとしてどのような温度値を設定するかについては、予め浴室モデルにおいて試験することで適正値を定めることができる。
【００３２】
筐体３１内が密閉型であるために内部温度に影響する要因は、以下の通り、種々のものから考えられる。すなわち、浴室リモコン３の動作状況の如何に基づく回路基板３２等の発熱や、外気温の如何により壁面１１からの放射熱の影響が考えられる。外気温の如何は、外気温自体の如何の他に、季節の如何又は現時点が何月かによって把握することが可能であり、加えて、それらの影響の度合は設置地域の如何によっても大きく左右される。
【００３３】
具体的には、浴室リモコン３が運転スイッチのＯＮにより動作可能状態に入った後、コントローラ４１からの作動制御により動作（例えば表示動作、インターホンによる通話動作等）が開始されると、回路基板３２上の各種機器（例えばレギュレータ、蛍光管表示機器等）が発熱し、これにより、筐体３１内において、より高い温度上昇を招くことになる。又、筐体３１が固定される壁面１１からの熱伝導による影響を受けて、筐体３１内の内部温度を低下させる傾向になったり、より上昇させる傾向になったりと変化する。例えば、筐体３１の内部温度がたとえ上昇したとしても冬場は壁面１１が冷やされるため筐体３１の内部温度は冷え易くなる一方、夏場は壁面１１が熱せられるため、筐体３１の内部温度も冷え難くなるばかりか、より上昇させる要因ともなる。
【００３４】
以上を考慮して、前記の付加値Ｙｄの値を、ユーザー自ら設定変更したり、各種要因毎に変更処理したりし得るようになっている。その手法は次の通りである。
【００３５】
まず、ユーザー自ら設定変更する処理は、図５に示すように、ユーザーからの設定要求が有るか否かを判定し（ステップＳ１１）、有れば（ステップＳ１１でＹＥＳ）、その設定操作された入力値に対応して付加値Ｙｄを変更する（ステップＳ１２）。かかる設定処理は、コントローラ４１の設定処理部により行われる。ユーザーが設定操作するには、浴室リモコン３の操作スイッチ３４の操作によりメニュー画面を表示させ、そこに表示される各種設定ボタンから例えば「浴室温度設定」を選択すればよい。具体的数値を直接に設定するには、さらに「数値設定」を選択し、温度調整ボタン（例えば、上昇は上向きの三角印のボタン、下降は下向きの三角印のボタン）を用いて所望の温度値を設定すればよい。
【００３６】
又、設置されている地域を設定するには「地域設定」を選択し、表示される地域別の名称（例えば「近畿」、「北陸」、「九州」等）から自己の設置地域を選択すればよい。地域がユーザーにより設定されると、設定処理部は予め記憶設定されている地域別付加値のテーブルから該当する地域に対応する付加値を読み込み、これを付加値Ｙｄとして設定することになる。地域別付加値のテーブルとしては、南側の地域であるほど、基本の付加値（例えば−２℃）よりも大きいマイナスの値の付加値が設定され、逆に北側の地域であるほど、基本の−側の付加値をより大きく減じた付加値が設定されている。例えば東北であれば、基本の付加値（例えば−２℃）に対し＋１℃を加算した値が付加値Ｙｄとして設定する。
【００３７】
浴室リモコン３の動作状況の如何により付加値の変更（基本の付加値の補正）を行う処理は、図６に示すように、浴室リモコン３が各種動作（運転スイッチのＯＮ、インターホン通話等）を開始したか否かを判定し（ステップＳ２１）、動作開始があれば（ステップＳ２１でＹＥＳ）、その動作種別を判定する（ステップＳ２２）。このような処理や、以下で説明する変更に係る処理は、コントローラ４１の変更処理部により行われる。そして、動作別付加値のテーブルから該当する動作に対応する付加値を読み込み、これを付加値Ｙｄとして設定する（ステップＳ２３）。例えば、運転スイッチＯＮであれば、基本の付加値（例えば−２℃）に対し、さらに−１℃を追加した値の付加値が設定されている。又、インターホン通話動作の場合には発熱度合がより高まるため、基本の付加値に対し、さらに−２℃を追加した値の付加値が設定されている。なお、インターホン通話の場合、通信頻度が高いほど発熱量も急増するため、インターホン通話の開始のみならず、通信頻度を判定することにより、基本の付加値に対する追加値を増減するようにしてもよい。
【００３８】
外気温の如何により付加値の変更（基本の付加値の補正）を行う処理は、図７に示すように、まず、外気温情報を取得し（ステップＳ３１）、取得した外気温に係る情報に基づき、外気温別付加値のテーブルから該当する外気温に対応する付加値を読み込み、これを付加値Ｙｄとして設定する（ステップＳ３２）。例えば、外気温別付加値のテーブルとして、所定の外気温範囲毎に付加値を予め設定したものを用いることができる。この場合、外気温が低い側の範囲であるほど、基本の付加値（例えば−２℃）を減じるように設定されている。例えば外気温が５℃以下の低温であれば、基本の付加値（例えば−２℃）に＋１℃を加えた値を付加値Ｙｄとして設定する。なお、外気温情報の取得は、例えば給湯器４に設けられている外気温センサ（Ｆ点サーミスタ）からの検出情報を用いることができる。
【００３９】
さらに、外気温情報を用いる代わりに、外気温の変化傾向を表す季節別、又は、年月日の内の月別に付加値を変更することができる。すなわち、図８に示すように、現時点に係る情報を取得し（ステップＳ４１）、その情報に基づき現時点が属する季節に対応する付加値を、予め記憶設定された季節別付加値テーブルから読み込み、それを付加値Ｙｄとして設定する（ステップＳ４２）。季節別付加値テーブルとしては、より寒くなると考えられる季節であるほど、基本の付加値（例えば−２℃）をより減じた値が付加値Ｙｄとして設定されている。例えば、最も暑い夏季であれば基本の付加値に−１℃を追加した値を、最も寒い冬季であれば基本の付加値に＋１℃を追加した値を、それぞれ付加値Ｙｄとして設定する。
【００４０】
現時点に係る情報は、コントローラ４１に備えられたカレンダ機能（日付データ）を用いて取得することができ、カレンダ機能から取得される現時点の日付が例えば１２月〜２月の範囲に属すれば、現時点の季節は冬季であると判定する。季節別の代わりに、現時点が何月に属するかの情報に基づき付加値を変更することもできる。
【００４１】
但し、以上は、温度センサ５が図２に示す例の如く浴室リモコン３内の浴室空間側（表側）の部位に設けられた場合であるが、温度センサ５が例えば浴室リモコン３内の浴室空間とは反対側の壁面１１側（裏側）の部位に設けられる場合には、さらに次のような補正を加えることができる。すなわち、かかる場合には、外気温の如何により壁面１１から受ける放射熱の影響がより大きくなると考えられるため、前述の外気温の如何により付加値Ｙｄの変更（基本の付加値の補正）を行う処理や、外気温の変化傾向を表す季節別、又は、年月日の内の月別に付加値Ｙｄを変更する処理等において、温度センサ５が浴室リモコン３内の表側の部位に設けられる場合よりも裏側の部位に設けられる場合の方が、より大きい補正量となるようにする。例えば、前述の外気温別付加値のテーブルをそのように設定することができる。
【００４２】
以上の実施形態の場合、密閉型の筐体３１内に設けられた温度センサ５を用いたとしても、その筐体３１の内部温度の温度上昇による影響を排除することができ、浴室１内の雰囲気温度（浴室温度）を簡易かつより正確に検出することができる。これにより、浴室温度の如何による所定の対応制御をより的確に行うことができるようになる。又、温度センサ５を浴室リモコン３内の裏側の部位に設ける場合には、付加値Ｙｄを前記表側の部位に設ける場合よりも大きい補正量となるように変更することで、浴室１内の雰囲気温度（浴室温度）の簡易かつ正確な検出をより効果的に行うことができる。
【００４３】
＜他の実施形態＞
本発明は前記実施形態に限らず、種々の形態を含むものである。すなわち、前記実施形態では空気孔３１９を有するものを示したが、これに限らず、空気孔がなく完全密閉型の筐体を有し、その筐体の内部に温度センサが設けられたものに対し本発明を適用することができる。このような完全密閉型に構成された筐体の場合には、内圧変動を吸収するための手段を筐体に付設すればよい。
【００４４】
又、前記実施形態では、浴室内設置装置として浴室リモコン３を対象にした例を説明したが、浴室リモコン３以外にも、例えば浴室テレビ１４（図１参照）を浴室内設置装置として本発明を適用することができる。
【００４５】
さらに、浴室対応制御部や設定処理部等を含むマイクロコンピュータを、給湯器４のコントローラ４１に設けた例を説明したが、これに限らず、前記マイクロコンピュータを浴室リモコン３の回路基板３２に搭載することができる。
【符号の説明】
【００４６】
１      浴室
３      浴室リモコン（浴室内設置装置）
５      温度センサ
１４    浴室テレビ（浴室内設置装置）
３１    筐体
４１    コントローラ（マイクロコンピュータ）
【図１】
2018119773.tif 000003
【図２】
2018119773.tif 000004
【図３】
2018119773.tif 000005
【図４】
2018119773.tif 000006
【図５】
2018119773.tif 000007
【図６】
2018119773.tif 000008
【図７】
2018119773.tif 000009
【図８】
2018119773.tif 000010